(57)【要約】【課題】ユーザーによる使用態様に適した読取条件を設定すること。【解決手段】  原稿読取装置は、読取条件に従って、原稿を読み取って画像データを出力する原稿読取部と、読取条件を設定する条件設定部５５と、原稿読取部が出力する画像データを記憶するＨＤＤと、ＨＤＤに記憶された画像データを出力するための出力条件を取得する条件設定部５５と、出力条件に従って、画像データを出力する出力部６３と、条件設定部５５により設定された読取条件で原稿読取部に原稿を読み取らせる第１モードと、予め定められた読取条件で原稿読取手部に原稿を読み取らせる第２モードと、のいずれかに読取モードを設定するモード設定部５３と、原稿の状態または読取条件に基づいて、モード設定部５３により設定された読取モードを切り換えるモード切換部５７と、を備える。【選択図】        図３
2019106597.tif 000002
【特許請求の範囲】
【請求項１】
読取条件に従って、原稿を読み取って画像データを出力する原稿読取手段と、
前記読取条件を設定する条件設定手段と、
前記原稿読取手段が出力する前記画像データを記憶する記憶手段と、
前記記憶手段に記憶された前記画像データを出力するための出力条件を取得する出力条件取得手段と、
前記出力条件に従って、前記画像データを出力する出力手段と、
前記条件設定手段により設定された読取条件で前記原稿読取手段に原稿を読み取らせる第１モードと、予め定められた読取条件で前記原稿読取手段に原稿を読み取らせる第２モードと、のいずれかに読取モードを設定するモード設定手段と、
前記原稿の状態または前記読取条件に基づいて、前記モード設定手段により設定された読取モードを切り換えるモード切換手段と、を備えた原稿読取装置。
【請求項２】
前記モード切換手段は、前記条件設定手段により前記第２モードが設定されている場合であって、前記原稿の枚数が所定枚数以上の場合に前記第１モードに切り換える、請求項１に記載の原稿読取装置。
【請求項３】
前記モード切換手段は、前記モード設定手段により前記第１モードが設定されている場合であって、前記条件設定手段により所定の画質以上の画質を処理する読取条件が設定されている場合に前記第２モードに切り換える、請求項１または２に記載の原稿読取装置。
【請求項４】
前記モード切換手段は、前記モード設定手段により前記第２モードが設定されている場合であって、前記条件設定手段により読取条件として文字の画像を処理する条件が設定されている場合に前記第１モードに切り換える、請求項１〜３のいずれかに記載の原稿読取装置。
【請求項５】
前記予め定められた読取条件は、前記原稿読取手段が原稿を読み取る能力で定まる、請求項１〜４のいずれかに記載の原稿読取装置。
【請求項６】
前記読取条件は、原稿を読み取る解像度、および／または原稿を読み取る色を定める条件を含む、請求項５に記載の原稿読取装置。
【請求項７】
ユーザーによる操作を受け付ける操作受付手段を、さらに備え、
前記モード設定手段は、前記操作受付手段により受け付けられた操作に従って前記読取モードを設定する、請求項１〜６のいずれかに記載の原稿読取装置。
【請求項８】
前記モード設定手段は、前記記憶手段に設定された読取モードを設定する、請求項１〜７のいずれかに記載の原稿読取装置。
【請求項９】
前記出力条件によって定められる出力対象となるデータの画質と、前記画像データの画質とが一致しない場合、前記記憶手段に記憶された前記画像データを前記出力条件によって定められる出力対象となるデータの画質と同じ画質の出力画像データに変換する画質変換手段を、さらに備え、
前記出力手段は、前記出力画像データを前記出力条件に従って出力する、請求項１〜８のいずれかに記載の原稿読取装置。
【請求項１０】
前記記憶手段に前記画像データが記憶されることに応じて、前記記憶手段に設定された変換条件に従って前記記憶手段に記憶された前記画像データを変換した変換画像データを生成する記憶時生成手段を、さらに備え、
前記出力手段は、前記出力条件によって定められる出力対象となるデータの画質と、前記変換画像データの画質とが一致する場合は前記変換画像データを前記出力条件に従って出力する、請求項１〜８のいずれかに記載の原稿読取装置。
【請求項１１】
前記出力条件によって定められる出力対象となるデータの画質と、前記変換画像データの画質とが一致しない場合、前記記憶手段に記憶された前記画像データを前記出力条件によって定められる出力対象となるデータの画質と同じ画質の出力画像データに変換する画質変換手段を、さらに備え、
前記出力手段は、前記出力画像データを前記出力条件に従って出力する、請求項１０に記載の原稿読取装置。
【請求項１２】
前記出力条件が取得される段階で前記記憶手段に前記変換条件が設定されていない場合には、前記出力条件に基づいて前記変換条件を前記記憶手段に設定する変換条件設定手段を、さらに備えた請求項１０または１１に記載の原稿読取装置。
【請求項１３】
原稿読取装置で実行される原稿読取方法であって、
前記原稿読取装置は、読取条件に従って、原稿を読み取って画像データを出力する原稿読取手段と、
前記原稿読取手段が出力する前記画像データを記憶する記憶手段と、を備えており、
前記読取条件を設定する条件設定ステップと、
前記記憶手段に記憶された前記画像データを出力するための出力条件を取得する出力条件取得ステップと、
前記出力条件に従って、前記画像データを出力する出力ステップと、
前記条件設定ステップにおいて設定された読取条件で前記原稿読取手段に原稿を読み取らせる第１モードと、予め定められた読取条件で前記原稿読取手段に原稿を読み取らせる第２モードと、のいずれかに読取モードを設定するモード設定ステップと、
前記原稿の状態または前記読取条件に基づいて、前記モード設定ステップにおいて設定された読取モードを切り換えるモード切換ステップと、を含む原稿読取方法。
【請求項１４】
原稿読取装置を制御するコンピューターで実行される原稿読取プログラムであって、
前記原稿読取装置は、読取条件に従って、原稿を読み取って画像データを出力する原稿読取手段と、
前記原稿読取手段が出力する前記画像データを記憶する記憶手段と、を備えており、
前記読取条件を設定する条件設定ステップと、
前記記憶手段に記憶された前記画像データを出力するための出力条件を取得する出力条件取得ステップと、
前記出力条件に従って、前記画像データを出力する出力ステップと、
前記条件設定ステップにおいて設定された読取条件で前記原稿読取手段に原稿を読み取らせる第１モードと、予め定められた読取条件で前記原稿読取手段に原稿を読み取らせる第２モードと、のいずれかに読取モードを設定するモード設定ステップと、
前記原稿の状態または前記読取条件に基づいて、前記モード設定ステップにおいて設定された読取モードを切り換えるモード切換ステップと、を前記コンピューターに実行させる原稿読取プログラム。
【発明の詳細な説明】
【技術分野】
【０００１】
この発明は、原稿読取装置、原稿読取方法および原稿読取プログラムに関し、特に、原稿を読み取って画像データを出力する原稿読取装置、その原稿読取装置で実行される原稿読取方法および原稿読取プログラムに関する。
【背景技術】
【０００２】
近年、複数の複合機（以下「ＭＦＰ」という）は、原稿を読み取って画像データをＨＤＤ等の記憶装置に記憶する機能、ＨＤＤに記憶された画像データを外部に送信する機能を備えている。このＭＦＰにおいて、原稿を読み取る時点と、画像データを送信する時点とが異なる場合がある。このため、原稿を読み取る時点でユーザーにより設定された解像度が、画像データを送信する時点でユーザーにより設定される解像度よりも低い場合には、ユーザーにより設定された解像度に相当する画質の画像データを送信することができない。
【０００３】
特開２００５−３４１４１９号公報のように、原稿を読み取る時点で最も高い解像度で原稿を読み取って得られる画像データを記憶しておき、画像データを送信する時点で定まる解像度に、画像データを変換して送信する技術が記載されている。
【０００４】
しかしながら、解像度が高いほど画像データのデータ量が大きくなるため、原稿を読み取る時点でユーザーにより設定された解像度が、画像データを送信する時点でユーザーにより設定される解像度よりも高い場合には、原稿を読み取る時間が長くなるとともに、記憶容量が大きくなるといった問題がある。
【特許文献１】特開２００５−３４１４１９号公報
【発明の概要】
【発明が解決しようとする課題】
【０００５】
この発明は、上述した問題点を解決するためになされたもので、この発明の目的の１つは、ユーザーによる使用態様に適した読取条件を設定することが可能な原稿読取装置を提供することが可能な原稿読取装置を提供することである。
【０００６】
この発明の他の目的は、ユーザーによる使用態様に適した読取条件を設定することが可能な原稿読取装置を提供することが可能な原稿読取方法を提供することである。
【０００７】
この発明のさらに他の目的は、ユーザーによる使用態様に適した読取条件を設定することが可能な原稿読取装置を提供することが可能な原稿読取プログラムを提供することである。
【課題を解決するための手段】
【０００８】
上述した目的を達成するためにこの発明のある局面によれば、原稿読取装置は、読取条件に従って、原稿を読み取って画像データを出力する原稿読取手段と、読取条件を設定する条件設定手段と、原稿読取手段が出力する画像データを記憶する記憶手段と、記憶手段に記憶された画像データを出力するための出力条件を取得する出力条件取得手段と、出力条件に従って、画像データを出力する出力手段と、条件設定手段により設定された読取条件で原稿読取手段に原稿を読み取らせる第１モードと、予め定められた読取条件で原稿読取手段に原稿を読み取らせる第２モードと、のいずれかに読取モードを設定するモード設定手段と、原稿の状態または読取条件に基づいて、モード設定手段により設定された読取モードを切り換えるモード切換手段と、を備える。
【０００９】
この局面に従えば、読取条件が設定され、設定された読取条件で原稿を読み取る第１モードと、予め定められた読取条件で原稿を読み取る第２モードと、のいずれかに読取モードが設定され、原稿に基づいて、読取モードが変更される。このため、設定された読取条件と予め定められた読取条件とのいずれで原稿を読み取るかが原稿の状態または読取条件によって定まる。したがって、原稿の読み取り時間をできるだけ短くするとともに、出力条件で設定される可能性の高い画質の画像データが出力可能な読取条件を決定することができる。その結果、ユーザーによる使用態様に適した読取条件を設定することが可能な原稿読取装置を提供することができる。
【００１０】
好ましくは、モード切換手段は、条件設定手段により第２モードが設定されている場合であって、原稿の枚数が所定枚数以上の場合に第１モードに切り換える。
【００１１】
この局面に従えば、第２モードが設定されている場合であって、原稿の枚数が所定枚数以上の場合に第１モードに切り換える。原稿の枚数が多い場合には、画像データのデータ量が大きくなるので、画像データを処理する時間を短くすることができる。
【００１２】
好ましくは、モード切換手段は、モード設定手段により第１モードが設定されている場合であって、条件設定手段により所定の画質以上の画質を処理する読取条件が設定されている場合に第２モードに切り換える。
【００１３】
この局面に従えば、第１モードが設定されている場合であって、所定の画質以上の画質を処理する読取条件が設定されている場合に第２モードに切り換える。画像データの画質を低くすることはできるが、高くすることはできない。このため、所定の画質以上の読取条件が設定されている場合は、予め定められた読取条件で原稿を読み取ることにより、出力条件で定められる画質の画像データを出力することができる。
【００１４】
好ましくは、モード切換手段は、モード設定手段により第２モードが設定されている場合であって、条件設定手段により読取条件として文字の画像を処理する条件が設定されている場合に第１モードに切り換える。
【００１５】
この局面に従えば、第２モードが設定されている場合であって、文字の画像を処理する条件が設定されている場合に第１モードに切り換える。文字の画像はデータ量が低下しても文字を判別可能な場合が多いので、画像データが文字の画像を含む場合には、処理速度を優先してユーザーの待ち時間を短縮することができる。
【００１６】
好ましくは、予め定められた読取条件は、原稿読取手段が原稿を読み取る能力で定まる。
【００１７】
この局面に従えば、予め定められた読取条件は、原稿を読み取る能力で定まるので、例えば、原稿を読み取る能力の最大で原稿を読み取ることにより、最も画質の高い画像データを取得することができる。
【００１８】
好ましくは、読取条件は、原稿を読み取る解像度、および／または原稿を読み取る色を定める条件を含む。
【００１９】
この局面に従えば、読取条件が、原稿を読み取る解像度および／または原稿を読み取る色を定める条件を含むので、原稿の解像度および／または色の画質を向上させることができる。
【００２０】
好ましくは、ユーザーによる操作を受け付ける操作受付手段を、さらに備え、モード設定手段は、操作受付手段により受け付けられた操作に従って読取モードを設定する。
【００２１】
この局面に従えば、ユーザーが設定した読取モードを変更するので、ユーザーが、読取モードを設定した後の出力時に、画像データに要求される画質が変更される場合に、要求される画質で画像データを出力することができる。
【００２２】
好ましくは、モード設定手段は、記憶手段に設定された読取モードを設定する。
【００２３】
この局面に従えば、記憶手段に設定された読取モードを変更するので、ユーザーは読取モードを設定する必要がなく、操作が容易になる。
【００２４】
好ましくは、出力条件によって定められる出力対象となるデータの画質と、画像データの画質とが一致しない場合、記憶手段に記憶された画像データを出力条件によって定められる出力対象となるデータの画質と同じ画質の出力画像データに変換する画質変換手段を、さらに備え、出力手段は、出力画像データを出力条件に従って出力する。
【００２５】
この局面に従えば、出力対象となるデータの画質と、画像データの画質とが一致しない場合、画像データが、出力条件によって定められる出力対象となるデータの画質と同じ画質の出力画像データに変換され、出力画像データが出力される。このため、出力条件によって定められる画質で画像データを出力することができる。
【００２６】
好ましくは、記憶手段に画像データが記憶されることに応じて、記憶手段に設定された変換条件に従って記憶手段に記憶された画像データを変換した変換画像データを生成する記憶時生成手段を、さらに備え、出力手段は、出力条件によって定められる出力対象となるデータの画質と、変換画像データの画質とが一致する場合は変換画像データを出力条件に従って出力する。
【００２７】
この局面に従えば、画像データが記憶されることに応じて変換画像データが生成されるので、出力条件が取得された後に画像データを変換画像データに変換する必要がない。このため、出力条件が入力されてから変換画像データを出力するまでの時間を短くすることができる。また、出力条件によって定められる出力対象となるデータの画質と、変換画像データの画質とが一致する場合は変換画像データが出力されるので、出力条件によって定められる画質で画像データを出力することができる。
【００２８】
好ましくは、出力条件によって定められる出力対象となるデータの画質と、変換画像データの画質とが一致しない場合、記憶手段に記憶された画像データを出力条件によって定められる出力対象となるデータの画質と同じ画質の出力画像データに変換する画質変換手段を、さらに備え、出力手段は、出力画像データを出力条件に従って出力する。
【００２９】
この局面に従えば、出力対象となるデータの画質と、変換画像データの画質とが一致しない場合、画像データが、出力条件によって定められる出力対象となるデータの画質と同じ画質の出力画像データに変換され、出力画像データが出力される。このため、出力条件によって定められる画質で画像データを出力することができる。
【００３０】
好ましくは、出力条件が取得される段階で記憶手段に変換条件が設定されていない場合には、出力条件に基づいて変換条件を記憶手段に設定する変換条件設定手段を、さらに備える。
【００３１】
この局面に従えば、出力条件が取得される段階で変換条件が設定されていない場合に、出力条件に基づいて変換条件が設定されるので、変換条件を設定する操作が容易になる。
【００３２】
この発明の他の局面によれば、原稿読取方法は、原稿読取装置で実行される原稿読取方法であって、原稿読取装置は、読取条件に従って、原稿を読み取って画像データを出力する原稿読取手段と、原稿読取手段が出力する画像データを記憶する記憶手段と、を備えており、読取条件を設定する条件設定ステップと、記憶手段に記憶された画像データを出力するための出力条件を取得する出力条件取得ステップと、出力条件に従って、画像データを出力する出力ステップと、条件設定ステップにおいて設定された読取条件で原稿読取手段に原稿を読み取らせる第１モードと、予め定められた読取条件で原稿読取手段に原稿を読み取らせる第２モードと、のいずれかに読取モードを設定するモード設定ステップと、原稿の状態または読取条件に基づいて、モード設定ステップにおいて設定された読取モードを切り換えるモード切換ステップと、を含む。
【００３３】
この局面に従えば、ユーザーによる使用態様に適した読取条件を設定することが可能な原稿読取方法を提供することができる。
【００３４】
この発明のさらに他の局面によれば、原稿読取プログラムは、原稿読取装置を制御するコンピューターで実行される原稿読取プログラムであって、原稿読取装置は、読取条件に従って、原稿を読み取って画像データを出力する原稿読取手段と、原稿読取手段が出力する画像データを記憶する記憶手段と、を備えており、読取条件を設定する条件設定ステップと、記憶手段に記憶された画像データを出力するための出力条件を取得する出力条件取得ステップと、出力条件に従って、画像データを出力する出力ステップと、条件設定ステップにおいて設定された読取条件で原稿読取手段に原稿を読み取らせる第１モードと、予め定められた読取条件で原稿読取手段に原稿を読み取らせる第２モードと、のいずれかに読取モードを設定するモード設定ステップと、原稿の状態または読取条件に基づいて、モード設定ステップにおいて設定された読取モードを切り換えるモード切換ステップと、をコンピューターに実行させる。
【００３５】
この局面に従えば、ユーザーによる使用態様に適した読取条件を設定することが可能な原稿読取プログラムを提供することができる。
【図面の簡単な説明】
【００３６】
【図１】本発明の実施の形態の１つにおけるＭＦＰの外観を示す斜視図である。
【図２】ＭＦＰのハードウェア構成の概要を示すブロック図である。
【図３】ＭＦＰが備えるＣＰＵの機能の一例を示すブロック図である。
【図４】原稿読取処理の流れの一例を示すフローチャートである。
【図５】読取モード設定処理の流れの一例を示すフローチャートである。
【図６】ＢＯＸ送信処理の流れの一例を示すフローチャートである。
【発明を実施するための形態】
【００３７】
以下、本発明の実施の形態について図面を参照して説明する。以下の説明では同一の部品には同一の符号を付してある。それらの名称および機能も同じである。したがってそれらについての詳細な説明は繰返さない。
【００３８】
図１は、本発明の実施の形態の１つにおけるＭＦＰの外観を示す斜視図である。図２は、ＭＦＰのハードウェア構成の概要を示すブロック図である。図１および図２を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００３９】
自動原稿搬送装置１２０は、原稿トレイ上にセットされた複数枚の原稿を１枚ずつ自動的に原稿読取部１３０のプラテンガラス上に設定された所定の原稿読み取り位置まで搬送し、原稿読取部１３０により原稿に形成された画像が読み取られた原稿を原稿排紙トレイに排出する。原稿読取部１３０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、ＨＤＤ１１５に記憶する。
【００４０】
給紙部１５０は、給紙トレイに収納された用紙を画像形成部１４０に搬送する。画像形成部１４０は、周知の電子写真方式により画像を形成するものであって、ＨＤＤ１１５に記憶された画像データに基づいて、給紙部１５０により搬送される用紙に画像を形成し、画像を形成した用紙を排紙トレイに排出する。
【００４１】
後処理部１５５は、画像形成部１４０により画像が形成された１以上の用紙を並び替えて排紙するソート処理、パンチ穴加工するパンチ処理、ステープル針を打ち込むステープル処理を実行する。
【００４２】
メイン回路１１０は、中央演算装置（ＣＰＵ）１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、大容量記憶装置としてのハードディスクドライブ（ＨＤＤ）１１５と、ファクシミリ部１１６と、ＣＤ（Ｃｏｍｐａｃｔ  Ｄｉｓｃ）−ＲＯＭ１１８が装着される外部記憶装置１１７と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００４３】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。さらに、ＲＡＭ１１４は、原稿読取部１３０から連続的に送られてくる読取データ（画像データ）を一時的に記憶する。
【００４４】
通信Ｉ／Ｆ部１１２は、ＭＦＰ１００をネットワークに接続するためのインターフェースである。ＣＰＵ１１１は、通信Ｉ／Ｆ部１１２を介して、ネットワークに接続された他のコンピューターとの間で通信し、データを送受信する。ネットワークは、限定するものではないが、例えば、ローカルエリアネットワークである。また、通信Ｉ／Ｆ部１１２は、ネットワークがインターネットに接続されている場合には、ネットワークを介してインターネットに接続されたコンピューターと通信が可能である。
【００４５】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００４６】
外部記憶装置１１７は、ＣＤ−ＲＯＭ１１８が装着される。ＣＰＵ１１１は、外部記憶装置１１７を介してＣＤ−ＲＯＭ１１８にアクセス可能である。ＣＰＵ１１１は、外部記憶装置１１７に装着されたＣＤ−ＲＯＭ１１８に記録されたプログラムをＲＡＭ１１４にロードして実行する。なお、ＣＰＵ１１１が実行するプログラムを記憶する媒体としては、ＣＤ−ＲＯＭ１１８に限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）などの半導体メモリであってもよい。
【００４７】
また、ＣＰＵ１１１が実行するプログラムは、ＣＤ−ＲＯＭ１１８に記録されたプログラムに限られず、ＨＤＤ１１５に記憶されたプログラムをＲＡＭ１１４にロードして実行するようにしてもよい。この場合、ネットワークに接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワークに接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００４８】
操作パネル１６０は、ＭＦＰ１００の上面に設けられ、表示部１６１と操作部１６３とを含む。表示部１６１は、例えば、液晶表示装置（ＬＣＤ）または有機ＬＥ（ｅｌｅｃｔｒｏｌｕｍｉｎｅｓｃｅｎｃｅ）ディスプレイであり、ユーザーに対する指示メニューや取得した画像データに関する情報等を表示する。操作部１６３は、タッチパネル１６５と、ハードキー部１６７とを含む。タッチパネル１６５は、表示部１６１の上面または下面に表示部１６１に重畳して設けられる。ハードキー部１６７は、複数のハードキーを含む。ハードキーは、例えば接点スイッチである。タッチパネル１６５は、表示部１６１の表示面中でユーザーにより指示された位置を検出する。ユーザーがＭＦＰ１００を操作する場合は直立した姿勢となる場合が多いので、表示部１６１の表示面、タッチパネル１６５の操作面およびハードキー部１６７は、上方を向いて配置される。ユーザーが表示部１６１の表示面を容易に視認することができ、ユーザーが指で操作部１６３を容易に指示することができるようにするためである。
【００４９】
図３は、ＭＦＰが備えるＣＰＵの機能の一例を示すブロック図である。図３に示す機能は、ＭＦＰ１００が備えるＣＰＵ１１１が、ＲＯＭ１１３、ＨＤＤ１１５、ＣＤ−ＲＯＭ１１８に記憶された原稿読取プログラムを実行することにより、ＣＰＵ１１１に形成される機能である。図３を参照して、ＣＰＵ１１１は、操作受付部５１と、モード設定部５３と、条件設定部５５と、モード切換部５７と、読取制御部５９と、記憶時生成部６１と、出力部６３と、画質変換部６５と、出力条件取得部６７と、を含む。
【００５０】
操作受付部５１は、操作パネルを制御し、ユーザーが操作部１６３に入力する操作を受け付ける。操作受付部５１は、読取条件設定画面を表示部１６１に表示し、ユーザーが読取条件設定画面に従って操作部１６３に入力する操作を受け付ける場合、読取条件情報を受け付ける。操作受付部５１は、読取条件情報として、原稿読取部１３０が原稿を読み取って出力する画像データをＨＤＤ１１５に格納する位置を示すフォルダ識別情報を少なくとも受け付ける。また、操作受付部５１は、読取条件を受け付ける場合と、受け付けない場合とがある。操作受付部５１は、読取条件を受け付ける場合、フォルダ識別情報と読取条件とを含む読取条件情報を条件設定部５５に出力する。読取条件情報は、読取条件を受け付けない場合、フォルダ識別情報を含む読取条件情報を条件設定部５５に出力する。したがって、読取条件情報は、フォルダ識別情報を少なくとも含み、読取条件を含む場合と含まない場合とがある。なお、読取条件は、原稿読取部１３０が原稿を読み取って出力する画像データを識別するためのデータ識別情報を含んでもよい。データ識別情報は、画像データに付されるファイル名を用いることができる。
【００５１】
また、操作受付部５１は、モード設定画面を表示部１６１に表示し、ユーザーが読取モード設定画面に従って操作部１６３に入力する操作を受け付ける場合、読取モードを受け付ける。操作受付部５１は、読取モードを受け付ける場合、読取モードをモード設定部５３に出力する。読取モードは、後述する条件設定部５５により設定された読取条件で原稿読取部１３０に原稿を読み取らせる第１モードと、予め定められた読取条件で原稿読取部１３０に原稿を読み取らせる第２モードと、を含む。
【００５２】
さらに、操作受付部５１は、出力条件設定画面を表示部１６１に表示し、ユーザーが出力条件設定画面に従って操作部１６３に入力する操作を受け付ける場合、出力条件を受け付ける。操作受付部５１は、出力条件を受け付ける場合、出力条件を出力条件取得部６７に出力する。出力条件は、ＨＤＤ１１５に記憶されたデータのうちから出力対象を特定する設定と、出力対象の画像データの画質を特定する設定と、出力対象の画像データの出力先を特定する設定と、を少なくとも含む。読取条件は、出力対象の画像データのフォーマットを特定する設定を含んでもよい。
【００５３】
条件設定部５５は、読取条件を設定する。条件設定部５５は、第１操作設定部７５と、第１領域基準部７７と、を含む。第１領域基準部７７は、操作受付部５１から入力される読取条件情報が読取条件を含まない場合、ＨＤＤ１１５が有する複数のフォルダのうち読取条件情報に含まれるフォルダ識別情報で特定されるフォルダに関連付けられた読取条件を取得し、取得された読取条件を設定する。ＨＤＤ１１５が有する複数のフォルダそれぞれは、ＨＤＤ１１５がデータを格納するための領域である。第１領域基準部７７は、操作受付部５１から入力される読取条件情報が読取条件を含まない場合であって、読取条件情報に含まれるフォルダ識別情報で特定されるフォルダに読取条件が関連付けられていない場合は、読取条件を設定することなく、操作受付部５１に読取条件を要求する。操作受付部５１は、第１領域基準部７７から読取条件が要求される場合には、読取条件設定画面を表示部１６１に表示し、ユーザーによる読取条件の入力を受け付ける。第１操作設定部７５は、操作受付部５１から入力される読取条件情報が読取条件を含む場合、読取条件情報に含まれる読取条件を設定する。
【００５４】
モード設定部５３は、読取モードを設定する。モード設定部５３は、第２操作設定部７３と、第２領域基準部７１と、を含む。第２領域基準部７１は、一時変更フラグがＯＦＦに設定されている場合に、ＨＤＤ１１５が有する複数のフォルダのうち操作受付部５１から入力される読取条件情報に含まれるフォルダ識別情報で特定されるフォルダに関連付けられた読取モードを取得し、取得された読取モードを設定する。第２操作設定部７３は、一時変更フラグがＯＮに設定されている場合、操作受付部５１から入力される読取モードを設定する。一時変更フラグは、ＭＦＰ１００を管理する管理者により予め設定されてもよいし、ＭＦＰ１００を操作するユーザーにより設定されてもよい。
【００５５】
モード切換部５７は、モード設定部５３から読取モードが入力され、条件設定部５５から読取条件が入力される。モード切換部５７は、自動切換フラグがＯＮに設定されている場合、モード設定部５３から入力される読取モードを切り換えるが、モード切換部５７は、自動切換フラグがＯＦＦに設定されている場合、読取モードを切り換えない。自動切換フラグは、ＭＦＰ１００を管理する管理者により予め設定されてもよいし、ＭＦＰ１００を操作するユーザーにより設定されてもよい。モード切換部５７は、画質検出部８１と、原稿枚数検出部８３と、を含む。
【００５６】
画質検出部８１は、条件設定部５５から入力される読取条件において設定されている画質を検出する。例えば、読取条件として、画質の程度を３段階で設定可能な場合には、３段階のいずれが設定されたかを検出する。例えば、写真、写真／文字、文字の３段階の画質の程度が高い順に設定可能な場合があり、この場合、写真、写真／文字の順に画質の程度が高い。また、画質の程度は、写真、写真／文字、文字の読取条件でなく、解像度または／および色数であってもよい。解像度が大きいほど画質の程度が高い。読取条件としての色数は、カラーとモノクロのいずれかが設定される。カラーはモノクロよりも画質の程度が高い。
【００５７】
モード切換部５７は、自動切換フラグがＯＮに設定されており、かつ、読取モードが第１モードに設定されている場合に、画質検出部８１によって画質の程度を示す条件が所定の程度以上の場合に読取モードを第２モードに切り換える。画質の程度が高いほど、原稿読取部１３０が原稿を読み取って出力する画像データのデータ量が大きくなる。このため、画質の程度が高いほど、原稿読取部１３０が原稿を読み取る時間が長くなる。また、画像データのデータ量が大きいほど、ＣＰＵ１１１が画像データを処理する負荷が大きくなる。このため、例えば、ＣＰＵ１１１が、画像データをＨＤＤ１１５に記憶する時間、または、画像データを通信Ｉ／Ｆ部１１２から外部に送信する時間が長くなる。
【００５８】
読取条件において、画質の程度を示す設定として、画像の種類、解像度、色数を含む。画像の種類の一例として、画像の種類の設定値として、写真、写真／文字、文字の３つがある場合を例に説明する。設定値に写真が設定される画像データは、写真の画像を含む。設定値に写真／文字が設定される画像データは、写真の画像と文字の画像とを含む。設定値に文字が設定される画像データは、文字の画像を含む。画像の種類が、写真、写真／文字、文字の順に画質の程度が高い。しきい値として写真／文字の設定値が設定されている場合、モード切換部５７は、読取条件に画像の種類として写真または写真／文字が設定されている場合に、読取モードを第２モードに切り換える。
【００５９】
解像度が大きいほど画質の程度が高い。ここでの解像度は、所定の長さ当たりの画素数である。モード切換部５７は、解像度が所定の値以上の場合に、読取モードを第２モードに切り換える。
【００６０】
また、色数が多いほど画質の程度が高い。色数の設定値の一例として、フルカラーとモノクロの２つがある場合を例に説明する。色数が多いほど画質の程度が高い。フルカラーは、モノクロよりも色数が多い。モード切換部５８は、色数の設定値がフルカラーの場合に、読取モードを第２モードに切り換える。
【００６１】
原稿枚数検出部８３は、読取対象となる原稿の枚数を検出する。例えば、自動原稿搬送装置１２０の原稿トレイに載置された原稿の高さを検出するセンサーにより検出された高さから原稿の枚数を検出する。原稿１枚当たりの厚さを予め登録しておき、センサーにより検出された高さと原稿の厚さとから原稿の枚数を算出する。
【００６２】
モード切換部５７は、読取モードが第２モードに設定されている場合に、原稿枚数検出部８３によって検出された原稿枚数が所定の値以上の場合に読取モードを第１モードに切り換える。原稿枚数が多くなるほど、画像データのデータ量が大きくなるため、原稿枚数が所定値以上の場合には、画像データのデータ量をできるだけ小さくするためである。
【００６３】
モード切換部５７は、モード設定部５３から入力される読取モードを切り換える場合は、切り換えた後の読取モードを、読取制御部５９に出力し、モード設定部５３から入力される読取モードを切り換えない場合は、モード設定部５３から入力される読取モードを、読取制御部５９に出力する。
【００６４】
読取制御部５９は、モード切換部５７から読取モードが入力され、条件設定部５５から読取モードが入力される。読取制御部５９は、読取モードが第１モードの場合、原稿読取部１３０を制御して、条件設定部５５から入力される読取条件に従って原稿を読み取らせる。原稿読取部１３０は、原稿を読み取って画像データを出力するので、読取制御部５９は、その画像データを、ＨＤＤ１１５が有する複数のフォルダのうち読取条件で特定されるフォルダに記憶するとともに、記憶時生成部６１に画像データのファイル名を出力する。また、読取制御部５９は、読取モードが第２モードの場合、原稿読取部１３０を制御して、条件設定部５５から入力される読取条件ではなく、予め定められた最大読取条件に従って原稿を読み取らせる。原稿読取部１３０は、原稿を読み取って画像データを出力するので、読取制御部５９は、その画像データを、ＨＤＤ１１５が有する複数のフォルダのうち読取条件で特定されるフォルダに記憶するとともに、記憶時生成部６１に画像データのファイル名を出力する。最大読取条件は、読取条件のうち画像の種類の設定値に写真を設定した条件であり、解像度を定める設定値に最大の解像度に設定した条件であり、色数の設定値にカラーを設定した条件である。
【００６５】
ＨＤＤ１１５が有する複数のフォルダのうちには、変換条件が設定されているものがある。変換条件は、ＨＤＤ１１５が有する複数のフォルダのいずれかを特定するフォルダ識別情報と、画像データの画質とを少なくとも定めている。記憶時生成部６１は、読取制御部５９からファイル名が入力される場合、そのファイル名の画像データが格納されているフォルダに、変換条件が設定されているか否かを判断する。記憶時生成部６１は、読取制御部５９から入力されるファイル名の画像データが格納されているフォルダに変換条件が設定されている場合、画像データを変換条件で定められる画質の第１変換画像データに変換し、第１変換画像データを変換条件で定められるフォルダ識別情報で特定されるフォルダに記憶する。ここでは、変換条件で定められるフォルダ識別情報で特定されるフォルダを、複数のユーザーそれぞれにアクセスする権限が与えられた共有フォルダとしている。なお、変換条件で定められるフォルダ識別情報で特定されるフォルダは、共有フォルダに限られず、特定のユーザーにアクセスする権限が与えられた個人フォルダとしてもよい。
【００６６】
出力条件取得部６７は、出力条件を取得する。出力条件取得部６７は、操作受付部５１から入力される出力条件を取得し、取得された出力条件を出力部６３および画質変換部６５に出力する。出力条件は、出力対象となる画像データを特定する設定と、その画像データの画質を特定する設定と、出力対象の画像データの出力先を特定する設定と、を含む。
【００６７】
画質変換部６５は、出力条件が入力されることに応じて、出力対象となる画像データを特定する。画質変換部６５は、特定された画像データが格納されているフォルダに変換条件が設定されている場合、画像データに対応する第１変換画像データを特定する。画質変換部６５は、出力条件により特定される画質を、第１変換画像データの画質と比較し、出力条件により特定される画質が、第１変換画像データの画質と異なる場合、画像データを出力条件により特定される画質の第２変換画像データに変換する。画質変換部６５は、第２変換画像データを出力部６３に出力する。
【００６８】
出力部６３は、出力条件が入力されることに応じて、出力対象となるデータを特定する。出力部６３は、出力条件に設定された画像データを特定し、特定された画像データが格納されているフォルダに変換条件が設定されているか否かを判断する。出力部６３は、画像データが格納されているフォルダに変換条件が設定されている場合、画像データに対応する第１変換画像データを特定する。出力部６３は、出力条件により特定される画質と、第１変換画像データの画質とを比較する。出力部６３は、出力条件により特定される画質と、第１変換画像データの画質とし、両者が一致する場合は、第１変換画像データを出力対象に決定するが、両者が異なる場合は、第２変換画像データを出力対象に決定する。また、出力部６３は、画像データが格納されているフォルダに変換条件が設定されていない場合、出力条件に基づいて変換条件を生成し、変換条件を画像データが格納されているフォルダに設定する。これにより、フォルダに変換条件を設定する操作を省略することができる。
【００６９】
なお、出力条件に、画像データのフォーマットが設定されている場合、画質変換部６５は、出力条件により特定されるフォーマットおよび画質と、第１変換画像データそれぞれのフォーマットおよび画質とを比較し、出力条件により特定されるフォーマットおよび画質が、第１変換画像データのフォーマットおよび画質のいずれとも異なる場合、画像データを出力条件により特定されるフォーマットおよび画質の第２変換画像データに変換する。また、出力部６３は、出力条件に画像データのフォーマットが設定されている場合、出力条件により特定されるフォーマットおよび画質と、第１変換画像データのフォーマットおよび画質とを比較する。出力部６３は、出力条件により特定されるフォーマットおよび画質と、第１変換画像データのフォーマットおよび画質とを比較し、両者が一致する場合は、第１変換画像データを出力対象に決定するが、両者が異なる場合は、第２変換画像データを出力対象に決定する。
【００７０】
出力部６３は、第１出力部８５と、第２出力部８７とを含む。第１出力部８５は、第１変換画像データが出力対象に決定される場合、出力条件に設定された出力先に、第１変換画像データを出力する。例えば、出力条件が出力先として電子メールアドレスが設定されている場合、宛先に電子メールアドレスを設定し、添付ファイルに第１変換画像データを設定した電子メールを生成し、生成された電子メールを、通信Ｉ／Ｆ部１１２を制御して、電子メールサーバーに送信する。また、宛先に、外部のコンピューターのネットワークアドレスが設定されている場合、通信Ｉ／Ｆ部１１２を制御して、外部のコンピューターに第１変換画像データを送信する。例えば、ＦＴＰ（Ｆｉｌｅ  Ｔｒａｎｓｆｅｒ  Ｐｒｏｔｏｃｏｌ）に従って、通信Ｉ／Ｆ部１１２を制御して、第１変換画像データを送信する。
【００７１】
第２出力部８７は、第２変換画像データが出力対象に決定される場合、出力条件に設定された出力先に、第２変換画像データを出力する。例えば、出力条件が出力先として電子メールアドレスが設定されている場合、宛先に電子メールアドレスを設定し、添付ファイルに第２変換画像データを設定した電子メールを生成し、生成された電子メールを、通信Ｉ／Ｆ部１１２を制御して、電子メールサーバーに送信する。また、宛先に、外部のコンピューターのネットワークアドレスが設定されている場合、通信Ｉ／Ｆ部１１２を制御して、外部のコンピューターに第２変換画像データを送信する。
【００７２】
図４は、原稿読取処理の流れの一例を示すフローチャートである。原稿読取処理は、ＭＦＰ１００が備えるＣＰＵ１１１が、ＲＯＭ１１３、ＨＤＤ１１５、ＣＤ−ＲＯＭ１１８に記憶された原稿読取プログラムを実行することにより、ＣＰＵ１１１により実行される処理である。図４を参照して、ＣＰＵ１１１は、読取条件を受け付ける（ステップＳ０１）。ユーザーが操作部１６３に読取条件を入力する場合、操作部１６３に入力される読取条件を受け付ける。また、画像データの記憶先として、ＨＤＤ１１５が有する複数のフォルダのいずれかを指定する操作をユーザーが操作部１６３に入力する場合、操作部１６３により受け付けられたユーザーによる操作で特定されるフォルダに関連付けられた読取条件を取得する。
【００７３】
次のステップＳ０２においては、読取モード設定処理を実行し、処理をステップＳ０３に進める。読取モード設定処理の詳細は後述するが、第１モードと第２モードとのいずれかの読取モードに設定する処理である。次のステップＳ０３においては、読取モードによって処理を分岐させる。読取モードが第１モードならば処理をステップＳ０４に進め、読取モードが第２モードならば処理をステップＳ０５に進める。
【００７４】
ステップＳ０４においては、原稿読取部１３０を制御して、ステップＳ０１において受け付けられた読取条件に従って原稿を読み取り、処理をステップＳ０６に進める。ステップＳ０５においては、原稿読取部１３０を制御して、最大読取条件に従って原稿を読み取り、処理をステップＳ０６に進める。ステップＳ０６においては、ＨＤＤ１１５が有する複数のフォルダのうち読取条件で特定されるフォルダに、原稿読取部１３０が出力する画像データを記憶し、処理をステップＳ０７に進める。ステップＳ０７においては、画像データに読取条件を関連付け、処理をステップＳ０８に進める。ステップＳ０４が実行される場合には、ステップＳ０１において受け付けられた読取条件を画像データに関連付け、ステップＳ０５が実行される場合には、最大読取条件を画像データに関連付ける。
【００７５】
ステップＳ０８においては、ステップＳ０６において画像データを記憶したフォルダに変換コマンドが設定されているか否かを判断する。変換コマンドが設定されているならば処理をステップＳ０９に進めるが、そうでなければ処理を終了する。ステップＳ０９においては、画像データを処理対象として、変換条件で定められる画像処理を実行し、処理をステップＳ１０に進める。画像処理は、画像データの画質を変更する処理であり、例えば、画像の種類を変更する処理、解像度を変更する処理および色数を変更する処理を、含む。また、画像処理は、画像の種類にそれぞれ対応する処理を含むようにしてもよい。例えば、写真の画像に対して明度の変化を滑らかにするスムージング処理、文字の画像に対してエッジを強調するエッジ強調処理である。なお、画像処理は、画像の種類を変更する処理、解像度を変換する処理、色数を変換する処理、および画像の種類にそれぞれ対応する処理に限定されることなく、他の処理を含んでもよい。ステップＳ１０においては、画像処理後の画像データを変換条件で定められるフォーマットの第１変換画像データに変換し、処理をステップＳ１１に進める。フォーマットは、例えば、圧縮処理後のデータのフォーマットを含む。圧縮処理は、可逆圧縮処理と、非可逆圧縮処理とを含む。
【００７６】
ステップＳ１１においては、第１変換画像データを共有フォルダに記憶し、処理を終了する。共有フォルダは、変換コマンドによって定められたフォルダである。共有フォルダは、ＭＦＰ１００を操作する権限が与えられた１以上のユーザーがアクセス可能なフォルダである。なお、変換コマンドによって定められるフォルダは、共有フォルダに限られず、ＨＤＤ１１５が有する複数のフォルダのいずれかであればよく、原稿読取部１３０で読み取って得られる画像データを記憶するために予め定められたフォルダであってもよく、また、個人に割り当てられるフォルダであってもよい。
【００７７】
図５は、読取モード設定処理の流れの一例を示すフローチャートである。読取モード設定処理は、図４のステップＳ０２において実行される処理である。読取条件設定処理が実行される前の段階で、ユーザーにより入力される読取条件またはフォルダに設定された読取条件のいずれかが決定されている。図５を参照して、一時変更フラグがＯＮに設定されているか否かを判断する（ステップＳ２１）。一時変更フラグがＯＮに設定されているならば処理をステップＳ２２に進めるが、そうでなければ処理をステップＳ２５に進める。一時変更フラグは、ＭＦＰ１００を管理する管理者によって予め設定されたフラグである。また、一時変更フラグは、ＭＦＰ１００を操作するユーザーが設定するようにしてもよい。
【００７８】
ステップＳ２２においては、ユーザーが操作部１６３に入力する読取モードを受け付け、受け付けられた読取モードによって処理を分岐させる。受け付けられた読取モードが第１モードならば処理をステップＳ２３に進めるが、受け付けられた読取モードが第２モードならば処理をステップＳ２４に進める。ステップＳ２３においては、読取モードを第１モードに決定し、処理をステップＳ２８に進め、ステップＳ２４においては、読取モードを第２モードに決定し、処理をステップＳ２８に進める。
【００７９】
ステップＳ２５においては、読取条件で特定されるフォルダに設定された読取モードによって処理を分岐させる。フォルダに設定された読取モードが第１モードならば処理をステップＳ２６に進めるがフォルダに設定された読取モードが第２モードならば処理をステップＳ２７に進める。ステップＳ２６においては、読取モードを第１モードに決定し、処理をステップＳ２８に進め、ステップＳ２７においては、読取モードを第２モードに決定し、処理をステップＳ２８に進める。
【００８０】
ステップＳ２８においては、自動切換フラグがＯＮに設定されているか否かを判断する。自動切換フラグがＯＮに設定されているならば処理をステップＳ２９に進めるが、そうでなければ処理を原稿読取処理に戻す。自動切換フラグは、ＭＦＰ１００を管理する管理者により予め設定されてもよいし、ＭＦＰ１００を操作するユーザーにより設定されてもよい。
【００８１】
ステップＳ２９においては、原稿の枚数が所定枚数以上か否かを判断する。原稿枚数が所定枚数以上ならば処理をステップＳ３２に進めるが、そうでなければ処理をステップＳ３０に進める。ステップＳ３０においては、読取条件において画質の程度を示す条件が所定の画質以上の設定がされているか否かを判断する。画質の程度が写真／文字の設定または写真の設定の場合、解像度が所定の値以上の設定の場合、または、色数がカラーの設定の場合ならば処理をステップＳ３１に進めるが、そうでなければ処理をステップＳ３２に進める。ステップＳ３１においては、読取モードを第２モードに決定し、処理を原稿読取処理に戻す。換言すれば、読取モードが第１モードに決定されている場合には、第２モードに切り換える。ステップＳ３２においては、読取モードを第１モードに決定し、処理を原稿読取処理に戻す。換言すれば、読取モードが第２モードに決定されている場合には、第１モードに切り換える。なお、読取条件において画質の程度を示す条件として、画像の種類が文字か否かを判断するようにして、画像の種類が文字の場合に、処理をステップＳ３２に進め、そうでなければ処理をステップＳ３１に進めるようにしてもよい。
【００８２】
図６は、ＢＯＸ送信処理の流れの一例を示すフローチャートである。ＢＯＸ送信処理は、ＭＦＰ１００が備えるＣＰＵ１１１が、ＲＯＭ１１３、ＨＤＤ１１５、ＣＤ−ＲＯＭ１１８に記憶されたＢＯＸ送信プログラムを実行することにより、ＣＰＵ１１１により実行される処理である。ＢＯＸ送信プログラムは、原稿読取プログラムの一部である。図６を参照して、ＣＰＵ１１１は、出力条件を受け付け（ステップＳ５１）、処理をステップＳ５２に進める。ユーザーが操作部１６３に入力する出力条件を受け付ける。出力条件は、出力対象となる画像データを特定する設定と、その画像データの画質を特定する設定と、出力対象の画像データの出力先を特定する設定と、を含む。
【００８３】
ステップＳ５２においては、出力条件で特定される画像データに関連付けられた読取条件を取得し、処理をステップＳ５３に進める。ステップＳ５３においては、出力条件と読取条件とを比較し、処理をステップＳ５４に進める。ステップＳ５４においては、出力条件で定められる画質と、読取条件で定められる画質とが同じか否かを判断する。両者が同じならば処理をステップＳ５５に進めるが、そうでなければ処理をステップＳ５８に進める。
【００８４】
ステップＳ５５においては、出力条件で定められるフォーマットと、読取条件で定められるフォーマットとが同じか否かを判断する。出力条件と読取条件とでフォーマットが同じならば処理をステップＳ５６に進めるが、そうでなければ処理をステップＳ５８に進める。ステップＳ５６においては、共有フォルダに画像データに対応する第１変換画像データが存在するか否かを判断する。第１変換画像データが存在するならば処理をステップＳ５７に進めるが、存在しなければ処理をステップＳ５８に進める。ステップＳ５７においては、第１変換画像データを出力条件に設定された出力先に送信し、処理を終了する。出力条件により、電子メールアドレスが設定されている場合には、宛先に出力条件により設定された電子メールアドレスを設定し、第１変換画像データを含む電子メールを生成し、電子メールを電子メールサーバーに送信する。なお、第１変換画像データの画質およびフォーマットが、出力条件に設定された画質およびフォーマットと同じ場合に、第１変換画像データを送信し、いずれか一方でも異なれば、処理をステップＳ５８に進めるようにする。
【００８５】
ステップＳ５８においては、画像データが記憶されたフォルダに出力条件に基づいて変換条件を設定し、処理をステップＳ５９に進める。これにより、画像データが記憶されたフォルダに変換条件が設定されるので、変換条件を設定する操作が不要となる。ステップＳ５９においては、出力条件で出力対象に設定されている画像データをＨＤＤ１１５から読出し、処理をステップＳ６０に進める。ステップＳ６０においては、出力条件で設定された画質となるように画像データを画像処理し、処理をステップＳ６１に進める。ステップＳ６１においては、画像データを、出力条件で設定されたフォーマットの第２変換画像データに変換し、処理をステップＳ６２に進める。ステップＳ６２においては、第２変換画像データを出力条件に設定された出力先に送信し、処理を終了する。出力条件により、電子メールアドレスが設定されている場合には、宛先に出力条件により設定された電子メールアドレスを設定し、第２変換画像データを含む電子メールを生成し、電子メールを電子メールサーバーに送信する。
【００８６】
なお、本実施の形態においては、画像データを出力する処理の例として、外部に送信する場合を説明したが、画像形成部１４０で画像データの画像を用紙に形成するようにしてもよいし、外部記憶装置１１７を制御して、半導体メモリ等の記録媒体に画像データを記憶するようにしてもよい。
【００８７】
以上説明したように、本実施の形態におけるＭＦＰ１００は、原稿読取装置として機能し、読取条件が設定され、読取モードが設定され、設定された読取条件と予め定められた読取条件とのいずれで原稿を読み取るかが原稿の状態または読取条件によって切り換えられる。このため、原稿の読み取り時間をできるだけ短くするとともに、出力条件で設定される可能性の高い画質の画像データが出力可能な読取条件を決定することができる。したがって、ユーザーによる使用態様に適した読取条件を設定することができる。
【００８８】
また、予め定められた最大読取条件で原稿を読み取る第２モードが設定されている場合であって、原稿の枚数が所定枚数以上の場合に、設定された読取条件で原稿を読み取る第１モードに切り換える。原稿の枚数が多い場合には、画像データのデータ量が大きくなるので、画像データを処理する時間を短くすることができる。
【００８９】
また、設定された読取条件で原稿を読み取る第１モードが設定されている場合であって、所定の画質以上の画質を処理する読取条件が設定されている場合に最大読取条件で原稿を読み取る第２モードに切り換える。画像データの画質を低くすることはできるが、高くすることはできない。このため、所定の画質以上の読取条件が設定されている場合は、最大読取条件で原稿を読み取ることにより、出力条件で定められる画質の画像データを出力することができる。
【００９０】
また、最大読取条件で原稿を読み取る第２モードが設定されている場合であって、文字の画像を処理する条件が設定されている場合に第１モードに切り換える。文字の画像はデータ量が低下しても文字を判別可能な場合が多いので、画像データが文字の画像を含む場合には、処理速度を優先してユーザーの待ち時間を短縮することができる。
【００９１】
また、最大読取条件は、原稿を読み取る能力で定まり、読取条件のうち画像の種類の設定値に写真を設定した条件であり、解像度を定める設定値に最大の解像度に設定した条件であり、色数の設定値にカラーを設定した条件である。このため、最も画質の高い画像データを取得することができる。
【００９２】
また、ユーザーが読取モードを設定する場合に、ユーザーが設定した読取モードを変更するので、ユーザーが、読取モードを設定した後の出力時に、画像データに要求される画質が変更される場合に、要求される画質で画像データを出力することができる。
【００９３】
また、ＨＤＤ１１５が有する複数のフォルダのうち画像データが記憶されるフォルダに設定された読取モードを変更するので、ユーザーは読取モードを設定する必要がなく、操作が容易になる。
【００９４】
また、第１変換画像データおよび第２変換画像データのうちから、出力条件によって定められる出力対象となるデータの画質と同一の画質のデータを出力条件に従って出力するので、出力条件によって定められる画質で画像データを出力することができる。
【００９５】
特に、出力条件によって定められる出力対象となるデータの画質と、第１変換画像データの画質とが一致しない場合、画像データを出力条件によって定められる出力対象となるデータの画質と同じ画質の出力画像データに変換するので、出力条件によって定められる画質で画像データを出力することができる。
【００９６】
また、ＨＤＤ１１５に画像データが記憶されることに応じて、画像データが記憶されたフォルダに設定された変換条件に従って画像データを変換した第２変換画像データを生成するので、出力条件が入力されてから第１変換画像データを出力するまでの時間を短くすることができる。また、出力条件によって定められる出力対象となるデータの画質と、第１画像データの画質とが一致する場合は第１変換画像データが出力されるので、出力条件によって定められる画質で画像データを出力することができる。
【００９７】
また、出力条件によって定められる出力対象となるデータの画質と、第１変換画像データの画質とが一致しない場合、画像データを出力条件によって定められる出力対象となるデータの画質と同じ画質の第２変換画像データに変換し、第２変換画像データを出力するので、出力条件によって定められる画質で画像データを出力することができる。
【００９８】
さらに、出力条件が取得される段階で、ＨＤＤ１１５の画像データが記憶されたフォルダに変換条件が設定されていない場合には、出力条件に基づいて変換条件をそのフォルダに設定するので、変換条件を設定する操作を省略することができ、操作を簡略にすることができる。
【００９９】
なお、出力条件により特定されるフォーマットおよび画質と、画像データのフォーマットおよび画質とを比較し、両者が一致する場合は、画像データを出力対象に決定するようにし、画像データを出力条件に従って出力するようにしてもよい。
【０１００】
なお、上述した実施の形態においては、原稿読取装置の一例としてＭＦＰ１００を例に説明したが、原稿を読み取る機能、画像データを記憶する機能および、画像データを出力する機能を備えた装置であれば、スキャナ装置、ファクシミリ装置としてもよい。また、図４〜図６に示した原稿読取処理を、ＭＦＰ１００に実行させる原稿読取方法、その原稿読取方法をＭＦＰ１００が備えるＣＰＵ１１１に実行させる原稿読取プログラムとして、発明を捉えることができるのは言うまでもない。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０２】
＜付記＞
前記出力手段は、前記出力条件によって定められる出力対象となるデータの画質と、前記画像データの画質とが一致する場合は前記画像データを前記出力条件に従って出力する。この局面に従えば、出力条件によって定められる画質で画像データを出力することができる。
【符号の説明】
【０１０３】
１００  ＭＦＰ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１２０  自動原稿搬送装置、１３０  原稿読取部、１４０  画像形成部、１５０  給紙部、１５５  後処理部、１６０  操作パネル、１６１  表示部、１６３  操作部、１６５  タッチパネル、１６７  ハードキー部、５１  操作受付部、５３  モード設定部、５５  条件設定部、５７  モード切換部、５９  読取制御部、６１  記憶時生成部、６３  出力部、６５  画質変換部、６７  出力条件取得部、７１  第２領域基準部、７３  第２操作設定部、７５  第１操作設定部、７７  第１領域基準部、８１  画質検出部、８３  原稿枚数検出部、８５  第１出力部、８７  第２出力部。
【図１】
2019106597.tif 000003
【図２】
2019106597.tif 000004
【図３】
2019106597.tif 000005
【図４】
2019106597.tif 000006
【図５】
2019106597.tif 000007
【図６】
2019106597.tif 000008